(57)【要約】【課題】視聴者制限情報を設定したコンテンツを光記録媒体に記録して再生する視聴制限方法を提供する。【解決手段】コンテンツ視聴制限メニューからパスワードを設定してコンテンツの特定ストリーム内の予備領域に記録した後、コンテンツを光記録媒体に貯蔵する段階と、コンテンツの再生時に前記コンテンツの特定ストリーム内の予備領域に記録されたパスワードと新しく入力されたパスワードとが一致する場合、貯蔵されたコンテンツを再生する段階とを含む。コンテンツの記録時にコンテンツの特定領域に視聴制限情報またはパスワードを設定するか、コンテンツの記録時に視聴制限区間を設定することにより、暴力物または淫乱物の未成年者の視聴を制限できる。【選択図】図２
2006066072.tif 000002
【特許請求の範囲】
【請求項１】
多数のコンテンツを光記録媒体に貯蔵及び再生する方法において、
（ａ）前記多数のコンテンツのうち所望のコンテンツに対して視聴制限情報を設定して前記コンテンツの特定ストリーム内の予備領域に記録した後、前記コンテンツを前記光記録媒体に貯蔵する段階と、
（ｂ）前記視聴制限情報が設定されたコンテンツを除外した前記光記録媒体に貯蔵された前記コンテンツから所望のコンテンツを選択して再生する段階とを含む視聴制限方法。
【請求項２】
前記（ａ）段階で前記視聴制限情報が記録される予備領域は、前記光記録媒体に情報を記録及び再生するのに用いられる所定の情報テーブルの予備領域であることを特徴とする請求項１に記載の視聴制限方法。
【請求項３】
前記（ｂ）段階でディスプレイされるコンテンツメニューは、
前記視聴制限情報が設定されたコンテンツを除外した前記多数のコンテンツの再生メニューが順次にディスプレイされることを特徴とする請求項１に記載の視聴制限方法。
【請求項４】
前記視聴制限情報が設定されたコンテンツは管理者だけ再生できることを特徴とする請求項１に記載の視聴制限方法。
【請求項５】
多数のコンテンツを光記録媒体に貯蔵及び再生する方法において、
（ａ）所望の前記コンテンツ貯蔵時に視聴制限区間を設定して前記コンテンツの特定ストリーム内の予備領域に記録した後、前記コンテンツを前記光記録媒体に貯蔵する段階と、
（ｂ）前記コンテンツの再生時に前記視聴制限区間を除外した前記コンテンツを再生する段階とを含む視聴制限方法。
【請求項６】
前記（ａ）段階で前記視聴制限区間が記録される予備領域は、前記光記録媒体に情報を記録及び再生するのに用いられる所定の情報テーブルの予備領域であることを特徴とする請求項５に記載の視聴制限方法。
【請求項７】
前記視聴制限区間は管理者だけ再生できることを特徴とする請求項５に記載の視聴制限方法。
【請求項８】
多数のコンテンツを光記録媒体に貯蔵及び再生する方法において、
（ａ）所望の前記コンテンツ貯蔵時に視聴制限区間を設定して貯蔵する段階と、
（ｂ）前記コンテンツの特定ストリーム内の予備領域に前記貯蔵情報の開始位置を記録した後、前記コンテンツを前記光記録媒体に貯蔵する段階と、
（ｃ）前記コンテンツの再生時に前記視聴制限区間を除外した前記コンテンツを再生する段階とを含む視聴制限方法。
【請求項９】
前記（ａ）段階で前記視聴制限区間情報の開始位置が記録される予備領域は、前記光記録媒体に情報を記録及び再生するのに用いられる所定の情報テーブルの予備領域であることを特徴とする請求項８に記載の視聴制限方法。
【請求項１０】
前記視聴制限区間は管理者だけ再生できることを特徴とする請求項８に記載の視聴制限方法。
【発明の詳細な説明】
【技術分野】
【０００１】
本発明は、光記録媒体に情報を記録及び再生する方法に係り、より詳細には視聴者制限情報を設定したコンテンツを光記録媒体に記録して再生する視聴制限方法に関する。
【背景技術】
【０００２】
現在、放送、通信、電子技術の発達に伴い、テレビ及びコンピュータに相応する携帯用ディバイスの使用が大衆に一般化されている。一例としてテレビをあげれば、映像、映画産業の発達と伴い過去には見られなかった多様な種類のドラマ、映画が製作されてテレビを通じて放送されており、テレビがあらゆる家庭に普及されるにつれて家族構成員がテレビ番組をいつでも視聴できる。したがって、テレビは、既存の映画館とは異なりドラマや映画の暴力的、猥褻な場面が何の規制もなく子供、青少年に見られる問題点を抱いている。
【０００３】
さらにＤＶＤ記録機器での記録機能は、既存のＶＣＲ使用法よりもっと簡単であるために青少年も容易に利用できる。またＤＶＤ記録機器で使用する記録媒体もテープより長時間の録画が可能であるため、一枚のディスク内にいろいろなコンテンツが録画できる。したがって、暴力物や淫乱物など未成年者が観覧できないコンテンツが記録されたディスクが何の保護装置もなく未成年者に露出される問題点が発生する。
【発明の開示】
【発明が解決しようとする課題】
【０００４】
本発明が解決しようとする技術的な課題は、コンテンツの記録時にコンテンツの特定領域に視聴制限情報またはパスワードを設定してコンテンツの無分別な再生を防止する視聴制限方法を提供するのにある。
本発明が解決しようとする他の技術的な課題は、コンテンツの記録時に視聴制限区間を設定して、コンテンツの再生時に視聴制限区間を選択的に再生可能にする視聴制限方法を提供するのにある。
【課題を解決するための手段】
【０００５】
本発明が解決しようとする技術的な課題を解決するための視聴制限方法は、所望のコンテンツを選択して光記録媒体に貯蔵及び再生する方法において、（ａ）前記コンテンツ視聴制限メニューからパスワードを設定して前記コンテンツの特定ストリーム内の予備領域に記録した後、前記コンテンツを前記光記録媒体に貯蔵する段階と、（ｂ）前記コンテンツの再生時に前記コンテンツの特定ストリーム内の予備領域に記録されたパスワードと新しく入力されたパスワードとが一致する場合、前記貯蔵されたコンテンツを再生する段階とを含むことが望ましい。
【０００６】
本発明において、前記（ａ）段階で前記パスワードが記録される予備領域は、前記光記録媒体に情報を記録及び再生するのに用いられる所定の情報テーブルの予備領域であることを特徴とし、前記（ｂ）段階で入力されたパスワードと前記予備領域に記録されているパスワードとが一致しない場合、その結果を貯蔵して管理者に提供することを特徴とする。
【０００７】
本発明が解決しようとする技術的な課題を解決するための視聴制限方法は、多数のコンテンツを光記録媒体に貯蔵及び再生する方法において、（ａ）前記多数のコンテンツのうち所望のコンテンツに対して視聴制限情報を設定して前記コンテンツの特定ストリーム内の予備領域に記録した後、前記コンテンツを前記光記録媒体に貯蔵する段階と、（ｂ）前記視聴制限情報が設定されたコンテンツを除外した前記光記録媒体に貯蔵された前記コンテンツから所望のコンテンツを選択して再生する段階とを含むことが望ましい。
【０００８】
本発明において、前記（ａ）段階で前記視聴制限情報が記録される予備領域は、前記光記録媒体に情報を記録及び再生するのに用いられる所定の情報テーブルの予備領域であることを特徴とし、前記（ｂ）段階でディスプレイされるコンテンツメニューは、前記視聴制限情報が設定されたコンテンツを除外した前記多数のコンテンツの再生メニューが順次にディスプレイされることを特徴とする。
【０００９】
本発明が解決しようとする技術的な課題を解決するための視聴制限方法は、所望のコンテンツを選択して光記録媒体に貯蔵及び再生する方法において、（ａ）前記コンテンツの視聴制限メニューからパスワードを設定して貯蔵する段階と、（ｂ）前記コンテンツの特定ストリーム内の予備領域に前記貯蔵情報の開始位置を記録した後、前記コンテンツを前記光記録媒体に貯蔵する段階と、（ｃ）前記コンテンツの再生時に前記予備領域に接近して前記（ａ）段階で貯蔵されたパスワードと新しく入力されたパスワードとが一致する場合、前記コンテンツを再生する段階とを含むことが望ましい。
【００１０】
本発明において、前記（ａ）段階で前記パスワード情報の開始位置が記録される予備領域は、前記光記録媒体に情報を記録及び再生するのに用いられる所定の情報テーブルの予備領域であることを特徴とし、前記（ｃ）段階で入力されたパスワードと前記既に貯蔵されているパスワードとが一致しない場合、その結果を貯蔵して管理者に提供することを特徴とする。
【００１１】
本発明が解決しようとする技術的な課題を解決するための視聴制限方法は、多数のコンテンツを光記録媒体に貯蔵及び再生する方法において、（ａ）所望の前記コンテンツ貯蔵時に視聴制限区間を設定して前記コンテンツの特定ストリーム内の予備領域に記録した後、前記コンテンツを前記光記録媒体に貯蔵する段階と、（ｂ）前記コンテンツの再生時に前記視聴制限区間を除外した前記コンテンツを再生する段階とを含むことが望ましい。
【００１２】
本発明において、前記（ａ）段階で前記視聴制限区間が記録される予備領域は、前記光記録媒体に情報を記録及び再生するのに用いられる所定の情報テーブルの予備領域であることを特徴とし、前記視聴制限区間は管理者だけ再生できることを特徴とする。
【００１３】
本発明が解決しようとする他の技術的な課題を解決するための視聴制限方法は、所望のコンテンツを選択して光記録媒体に貯蔵及び再生する方法において、（ａ）前記コンテンツ貯蔵時に視聴制限区間を設定し、設定された視聴制限区間の再生のためのパスワードを設定して貯蔵する段階と、（ｂ）前記コンテンツの特定ストリーム内の予備領域に前記貯蔵情報の開始位置を記録した後、前記コンテンツを前記光記録媒体に貯蔵する段階と、（ｃ）前記コンテンツの再生時に前記予備領域に接近して前記（ａ）段階で貯蔵されたパスワードと新しく入力されたパスワードとが一致する場合、前記視聴制限区間を再生する段階を含むことが望ましい。
【００１４】
本発明において、前記（ａ）段階で前記視聴制限区間情報の開始位置が記録される予備領域は、前記光記録媒体に情報を記録及び再生するのに用いられる所定の情報テーブルの予備領域であることを特徴とし、前記（ｃ）段階で入力されたパスワードと前記予備領域に記録されているパスワードとが一致しない場合、その結果を貯蔵して管理者に提供することを特徴とする。
【００１５】
本発明が解決しようとする他の技術的な課題を解決するための視聴制限方法は、多数のコンテンツを光記録媒体に貯蔵及び再生する方法において、（ａ）所望の前記コンテンツ貯蔵時に視聴制限区間を設定して貯蔵する段階と、（ｂ）前記コンテンツの特定ストリーム内の予備領域に前記貯蔵情報の開始位置を記録した後、前記コンテンツを前記光記録媒体に貯蔵する段階と、（ｃ）前記コンテンツの再生時に前記視聴制限区間を除外した前記コンテンツを再生する段階とを含むことが望ましい。
【００１６】
本発明において、前記（ａ）段階で前記視聴制限区間情報の開始位置が記録される予備領域は、前記光記録媒体に情報を記録及び再生するのに用いられる所定の情報テーブルの予備領域であることを特徴とし、前記視聴制限区間は管理者だけ再生できることを特徴とする。
【発明を実施するための最良の形態】
【００１７】
以下、添付した図面を参照して本発明を詳細に説明する。
図１は、視聴制限装置の構成を示すブロック図であり、光ディスク１００、ＤＳＰ（Ｄｉｇｉｔａｌ Ｓｉｇｎａｌ Ｐｒｏｃｅｓｓｏｒ）１０１、Ａ／Ｖデコーダ１０２、ディスプレイ部１０３、制御部１０４より構成される。
【００１８】
図２は、本発明による視聴制限方法に対する第１実施例の動作を示すフローチャートであり、録画しようとするコンテンツの選択段階（２００）、視聴制限機能の設定メニューを呼び出す段階（２０１）、パスワードの入力段階（２０２）、入力されたパスワードを特定ストリーム内の予備領域に貯蔵した後、コンテンツの録画を完了する段階（２０３）、視聴制限機能が設定されたコンテンツの再生段階（２０４）、パスワード入力要請によりパスワードを入力する段階（２０５）、新しく入力されたパスワードと既に貯蔵されているパスワードとが一致するかどうかを判断する段階（２０６）、該当コンテンツの再生段階（２０７）、該当コンテンツの再生の中止段階（２０８）を含む。
【００１９】
次いで、図１及び図２を参照して本発明を詳細に説明する。
ユーザは録画しようとするコンテンツを選択する（２００段階）。ディスプレイ部１０３にディスプレイされているコンテンツを録画しようとする場合、ユーザ入力信号（リモコンまたはプレーヤーに備わったキーにより生成）を利用してコンテンツの録画メニューを呼び出す。制御部１０４は、ユーザ入力信号により録画メニューをディスプレイ部１０３にディスプレイし、ユーザはディスプレイされた録画メニューを見てコンテンツの録画を選択する。
【００２０】
ユーザが録画しようとするコンテンツが暴力物または淫乱物など未成年者観覧不可等級であると判断されれば、さらにユーザ入力信号を通じて視聴制限機能の設定メニューを呼び出す（２０１段階）。制御部１０４は、ユーザ入力信号により視聴制限機能の設定メニューをディスプレイし、メニューはパスワードの入力を要求する。
パスワード入力の要求により、ユーザはパスワードを入力する（２０２段階）。パスワードを入力するユーザは、後にコンテンツの再生を管理する管理者と同一である。
【００２１】
ユーザ、すなわち、管理者によりパスワードの入力が完了すれば、制御部１０４は、入力されたパスワードを特定ストリーム内の予備領域に貯蔵して、コンテンツの全体内容の録画を完了する（２０３段階）。パスワードが貯蔵される特定ストリーム内の予備領域は、コンテンツの録画または再生時にディスク１００やタイトルに関する情報を有する各種情報テーブルの予備領域である。
【００２２】
例えば、光ディスク１００にはディスク情報テーブルがあり、光ディスク１００を再生するのに必要な情報が貯蔵されている。ディスク情報テーブルのうちＶＴＳＩ（Ｖｉｄｅｏ Ｔｉｔｌｅ Ｓｅｔ Ｉｎｆｏｒｍａｔｉｏｎ）管理テーブル及びＶＭＧＩ（Ｖｉｄｅｏ Ｍａｎａｇｅｒ Ｉｎｆｏｒｍａｔｉｏｎ）管理テーブルがあるが、視聴制限のためのパスワードがＶＴＳＩ及びＶＭＧＩ管理テーブルの予備領域に記録される。ＶＴＳＩ管理テーブルはビデオタイトル設定情報が貯蔵されたテーブルであって、総２０４８バイトで構成され、このうち視聴制限のためのパスワードが記録される予備領域は１６〜２７、３８〜１２７、１３２〜１９１、２３２〜２５５、２６８〜３３９、３４８〜５１１、５８０〜５９５、７９０〜７９１、９８４〜２０４７バイトにある。ＶＭＧＩ管理テーブルは、ビデオ管理情報が貯蔵されたテーブルであって、総２２９２バイトで構成され、このうち視聴制限のためのパスワードが記録される予備領域は１６〜２７、４８〜６１、１０４〜１２７、１３６〜１９１、２２４〜２５５、２６８〜３３９、３４８〜１０２３バイトにある。
【００２３】
コンテンツの録画が完了した後、ユーザは視聴制限機能が設定されたコンテンツを再生する（２０４段階）。この時、制御部１０４は、予備領域に貯蔵されたパスワードにアクセスし、本コンテンツの再生のためにパスワードの入力を要請する。
制御部１０４のパスワード要請によりパスワードを入力する（２０５段階）。
制御部１０４は、ユーザにより新しく入力されたパスワードと予備領域に既に貯蔵されているパスワードとを比較して一致するかどうかを判断する（２０６段階）。
【００２４】
制御部１０４の判断結果、ユーザにより新しく入力されたパスワードと予備領域に既に貯蔵されているパスワードとが一致する場合（２０６段階で「はい」）、該当コンテンツを再生する（２０７段階）。光ディスク１００からのＡ／Ｖ信号の読出しはピックアップ（図示せず）により行われ、ピックアップにより読出されたＡ／Ｖ信号はＤＳＰ１０１でデスクランブリングされて、ＥＦＭ変調される。ＤＳＰ１０１で信号処理されたＡ／Ｖ信号は、Ａ／Ｖデコーダ１０２でデコーディングされてディスプレイ部１０３にディスプレイされる。
【００２５】
制御部１０４の判断結果、ユーザにより新しく入力されたパスワードと予備領域に既に貯蔵されているパスワードとが一致しない場合（２０６段階で「いいえ」）、該当コンテンツの再生を中止する（２０８段階）。ユーザがパスワードを間違えて入力することがあるため、決まった回数だけ反復的にパスワードを入力でき、反復的なパスワード入力後にも新しく入力されたパスワードが予備領域に貯蔵されたパスワードと一致しない場合、コンテンツの再生を中止する。また、ユーザにより入力された間違ったパスワードは制御部１０４によりメモリ（図示せず）に順次に貯蔵された後で管理者に提供され、いつ、どんなコンテンツを再生しようとしたかが分かる。
【００２６】
図３は、本発明による視聴制限方法に対する第２実施例の動作を示すフローチャートであり、録画しようとするコンテンツの選択段階（３００）、視聴制限設定メニューを呼び出して視聴制限機能を設定する段階（３０１）、視聴制限設定情報を特定ストリームの予備領域に貯蔵してコンテンツの録画を完了する段階（３０２）、再生しようとするコンテンツの検索段階（３０３）、視聴制限機能が設定されたコンテンツを除外した検索情報をディスプレイする段階（３０４）、検索されたコンテンツのうち所望のコンテンツを選択して再生する段階（３０５）よりなる。
【００２７】
次いで、図１及び図３を参照して本発明を詳細に説明する。
ユーザは、録画しようとするコンテンツを選択する（３００段階）。ディスプレイ部１０３にディスプレイされているコンテンツを録画しようとする場合、ユーザ入力信号（リモコンまたはプレーヤーに備わったキーにより生成）を利用してコンテンツの録画メニューを呼び出す。制御部１０４は、ユーザ入力信号により録画メニューをディスプレイ部１０３にディスプレイし、ユーザはディスプレイされた録画メニューを見てコンテンツの録画を選択する。
【００２８】
ユーザが録画しようとするコンテンツが暴力物または淫乱物など未成年者観覧不可等級であると判断されれば、さらにユーザ入力信号を通じて視聴制限機能の設定メニューを呼び出す（３０１段階）。制御部１０４はユーザ入力信号により視聴制限機能の設定メニューをディスプレイする。
ユーザは、ディスプレイされた視聴制限機能の設定メニューのうち“視聴制限”を設定し、制御部１０４は“視聴制限”情報を特定ストリーム内の予備領域に貯蔵してコンテンツの全体内容に対する録画を完了する（３０２段階）。“視聴制限”情報が貯蔵される特定ストリーム内の予備領域は、コンテンツの録画または再生時にディスク１００やタイトルに関する情報を有する各種情報テーブルの予備領域である。
【００２９】
例えば、光ディスク１００にはディスク情報テーブルがあって、光ディスク１００を再生するのに必要な情報が貯蔵されている。ディスク情報テーブルのうちＶＴＳＩ管理テーブル及びＶＭＧＩ管理テーブルがあるが、視聴制限のためのパスワードがＶＴＳＩ及びＶＭＧＩ管理テーブルの予備領域に記録される。ＶＴＳＩ管理テーブルはビデオタイトル設定情報が貯蔵されたテーブルであり、総２０４８バイトで構成され、このうち視聴制限のためのパスワードが記録される予備領域は、１６〜２７、３８〜１２７、１３２〜１９１、２３２〜２５５、２６８〜３３９、３４８〜５１１、５８０〜５９５、７９０〜７９１、９８４〜２０４７バイトにある。ＶＭＧＩ管理テーブルはビデオ管理情報が貯蔵されたテーブルであり、総２２９２バイトで構成され、このうち視聴制限のためのパスワードが記録される予備領域は１６〜２７、４８〜６１、１０４〜１２７、１３６〜１９１、２２４〜２５５、２６８〜３３９、３４８〜１０２３バイトにある。
【００３０】
多数のコンテンツが貯蔵された光ディスク１００から再生しようとするコンテンツを検索する（３０３段階）。コンテンツ検索のためのユーザ入力信号が制御部１０４に入力されれば、制御部１０４は、光ディスク１００に貯蔵されたコンテンツ情報を検索する。
制御部１０４は、光ディスクから“視聴制限”機能が設定されたコンテンツを除外したコンテンツの検索結果をディスプレイ部１０３にディスプレイする（３０４段階）。例えば、光ディスク１００に総５つのコンテンツＣ１〜Ｃ５が貯蔵されているが、そのうち第２のコンテンツＣ２に“視聴制限”機能が設定されていると仮定すれば、ユーザには総４つのコンテンツＣ１、Ｃ３、Ｃ４、Ｃ５のタイトルがディスプレイされる。すなわち、実際には第３のコンテンツＣ３があたかも第２のコンテンツであるかのように、実際の第４のコンテンツＣ４は第３のコンテンツであるかのように、実際の第５のコンテンツＣ５は第４のコンテンツであるかのように順次にディスプレイされて、特定コンテンツが抜けているとのユーザの疑惑を防止する。
【００３１】
このようにディスプレイされたコンテンツ検索情報を見てユーザは所望のコンテンツを選択して再生する（３０５段階）。光ディスク１００からのＡ／Ｖ信号の読出しはピックアップ（図示せず）により行われ、ピックアップにより読出されたＡ／Ｖ信号はＤＳＰ１０１でデスクランブリングされ、ＥＦＭ変調される。ＤＳＰ１０１で信号処理されたＡ／Ｖ信号はＡ／Ｖデコーダ１０２でデコーディングされてディスプレイ部１０３にディスプレイされる。
“視聴制限”機能が設定されたコンテンツは管理者だけ再生できる。
【００３２】
図４は、本発明による視聴制限方法に対する第３実施例の動作を示すフローチャートであり、録画しようとするコンテンツ選択後に録画を始める段階（４００）、視聴制限機能の設定メニューを呼び出す段階（４０１）、パスワードを入力する段階（４０２）、入力されたパスワードを別のテーブルに貯蔵する段階（４０３）、特定ストリーム内の予備領域にテーブル開始位置を貯蔵した後、録画を完了する段階（４０４）、視聴制限機能が設定されたコンテンツを再生する段階（４０５）、パスワード入力要請によりパスワードを入力する段階（４０６）、新しく入力されたパスワードと既に貯蔵されているパスワードとが一致するかどうかを判断する段階（４０７）、該当コンテンツを再生する段階（４０８）、該当コンテンツの再生を中止する段階（４０９）よりなる。
【００３３】
次いで、図１及び図４を参照して本発明を詳細に説明する。
ＤＶＤビデオ形式の場合にはＶＭＧＩまたはＶＴＳＩの予備領域が多くて視聴制限情報を予備領域に貯蔵することが可能であるが、ＤＶＤ−ＶＲ形式の場合には予備領域が十分でない。したがって、視聴制限情報を別のテーブルに貯蔵し、予備領域にはテーブル開始位置を記録する。
【００３４】
ユーザは、録画しようとするコンテンツを選択する（４００段階）。ディスプレイ部１０３にディスプレイされているコンテンツを録画しようとする場合、ユーザ入力信号（リモコンまたはプレーヤーに備わったキーにより生成）を利用してコンテンツの録画メニューを呼び出す。制御部１０４は、ユーザ入力信号により録画メニューをディスプレイ部１０３にディスプレイし、ユーザはディスプレイされた録画メニューを見てコンテンツの録画を選択する。
【００３５】
ユーザが録画しようとするコンテンツが暴力物または淫乱物など未成年者観覧不可等級であると判断されれば、さらにユーザ入力信号を通じて視聴制限機能の設定メニューを呼び出す（４０１段階）。制御部１０４はユーザ入力信号により視聴制限機能の設定メニューをディスプレイしてパスワードの入力を要求する。
パスワード入力要求により、ユーザはパスワードを入力する（４０２段階）。パスワードを入力するユーザは、後にコンテンツの再生を管理する管理者と同一である。
【００３６】
ユーザ、すなわち、管理者によりパスワードの入力が完了すれば、制御部１０４は、入力されたパスワードを別のテーブルに貯蔵する（４０３段階）。
パスワードが別のテーブルに貯蔵されれば、制御部１０４はテーブル開始位置を特定ストリーム内の予備領域に貯蔵し、コンテンツの全体内容に対する録画を完了する（４０４段階）。パスワードが貯蔵される特定ストリーム内の予備領域は、コンテンツの録画または再生時にディスク１００やタイトルに関する情報を有する各種情報テーブルの予備領域である。
【００３７】
コンテンツの録画が完了した後、ユーザは視聴制限機能が設定されたコンテンツを再生する（４０５段階）。この時、制御部１０４は予備領域にアクセスし、別のテーブルに貯蔵されたパスワードにアクセスし、本コンテンツの再生のためにパスワードの入力を要請する。
制御部１０４のパスワード入力要請により、ユーザはパスワードを入力する（４０６段階）。
【００３８】
制御部１０４は、予備領域に記録されたテーブル開始位置にをアクセスしてテーブルに記録されたパスワードと、ユーザにより新しく入力されたパスワードとを比較して一致するかどうかを判断する（４０７段階）。
制御部１０４の判断結果、テーブルに記録されたパスワードとユーザにより新しく入力されたパスワードとが一致する場合（４０７段階で「はい」）、該当コンテンツを再生する（４０８段階）。光ディスク１００からのＡ／Ｖ信号の読出しはピックアップ（図示せず）により行われ、ピックアップにより読出されたＡ／Ｖ信号はＤＳＰ１０１でデスクランブリングされ、ＥＦＭ変調される。ＤＳＰ１０１で信号処理されたＡ／Ｖ信号は、Ａ／Ｖデコーダ１０２でデコーディングされてディスプレイ部１０３にディスプレイされる。
【００３９】
制御部１０４の判断結果、テーブルに記録されたパスワードとユーザにより新しく入力されたパスワードとが一致しない場合（４０７段階で「いいえ」）、該当コンテンツの再生を中止する（４０９段階）。ユーザがパスワードを間違えて入力することがあるため、決まった回数だけ反復的にパスワードを入力でき、反復的なパスワード入力後にも新しく入力されたパスワードがテーブルに貯蔵されたパスワードと一致しない場合、コンテンツの再生を中止する。また、ユーザにより入力された間違ったパスワードは、制御部１０４によりメモリ（図示せず）に順次に貯蔵された後で管理者に提供して、いつ、どんなコンテンツを再生しようとしたかが分かる。
【００４０】
図５は、本発明による視聴制限方法に対する第４実施例の動作を示すフローチャートであり、録画しようとするコンテンツの選択後に録画を始める段階（５００）、録画中に視聴制限区間を確認する段階（５０１）、視聴制限設定メニューを呼び出す段階（５０２）、視聴制限区間の設定及びパスワードを入力する段階（５０３）、設定された区間及び入力されたパスワードを特定ストリーム内の予備領域に貯蔵した後、コンテンツの録画を完了する段階（５０４）、視聴制限機能が設定されたコンテンツを再生する段階（５０５）、再生中に視聴制限区間で再生を中止する段階（５０６）、パスワードの入力を要請する段階（５０７）、新しく入力されたパスワードと既に貯蔵されているパスワードとが一致するかどうかを判断する段階（５０８）、視聴制限が解除されて連続再生する段階（５０９）、視聴制限区間以後から再生する段階（５１０）よりなる。
【００４１】
次いで、図１及び図５を参照して本発明を詳細に説明する。
ユーザは、録画しようとするコンテンツを選択して録画を始める（５００段階）。ディスプレイ部１０３にディスプレイされているコンテンツを録画しようとする場合、ユーザ入力信号（リモコンまたはプレーヤーに備わったキーにより生成）を利用してコンテンツの録画メニューを呼び出す。制御部１０４は、ユーザ入力信号により録画メニューをディスプレイ部１０３にディスプレイし、ユーザは、ディスプレイされた録画メニューを見てコンテンツの録画を選択する。
【００４２】
録画中または録画後にユーザは暴力的な内容または猥褻な内容が録画された区間を確認する（５０１段階）。
暴力的な内容または猥褻な内容が録画された区間に対して視聴を制限するために視聴制限設定メニューを呼び出す（５０２段階）。ユーザ入力信号により制御部１０４は、視聴制限機能の設定メニューをディスプレイし、視聴制限区間の入力及びパスワードの入力を要請する。
ユーザは、制御部１０４の要求により視聴制限区間の開始位置及び終了位置を設定し、視聴制限区間を選択的に再生可能にするパスワードを入力する（５０３段階）。視聴制限区間の設定及びパスワードを入力するユーザは、後にコンテンツの再生を管理する管理者と同一である。
【００４３】
ユーザ、すなわち、管理者により視聴制限区間の設定及びパスワードの入力が完了すれば、制御部１０４は、入力された視聴制限区間情報及びパスワードを特定ストリーム内の予備領域に貯蔵し、コンテンツの全体内容に対する録画を完了する（５０４段階）。視聴制限区間情報及びパスワードが貯蔵される特定ストリーム内の予備領域は、コンテンツの録画または再生時にディスク１００やタイトルに関する情報を有する各種情報テーブルの予備領域である。
【００４４】
例えば、光ディスク１００にはディスク情報テーブルがあり、光ディスク１００を再生するのに必要な情報が貯蔵されている。ディスク情報テーブルのうちＶＴＳＩ管理テーブル及びＶＭＧＩ管理テーブルがあるが、視聴制限のためのパスワードがＶＴＳＩ及びＶＭＧＩ管理テーブルの予備領域に記録される。ＶＴＳＩ管理テーブルは、ビデオタイトル設定情報が貯蔵されたテーブルであり、総２０４８バイトで構成され、このうち視聴制限区間情報及びパスワードが記録される予備領域は１６〜２７、３８〜１２７、１３２〜１９１、２３２〜２５５、２６８〜３３９、３４８〜５１１、５８０〜５９５、７９０〜７９１、９８４〜２０４７バイトにある。ＶＭＧＩ管理テーブルはビデオ管理情報が貯蔵されたテーブルであり、総２２９２バイトで構成され、このうち視聴制限区間情報及びパスワードが記録される予備領域は１６〜２７、４８〜６１、１０４〜１２７、１３６〜１９１、２２４〜２５５、２６８〜３３９、３４８〜１０２３バイトにある。
【００４５】
コンテンツの録画が完了して、以後にユーザは、区間別視聴制限機能が設定されたコンテンツを再生する（５０５段階）。光ディスク１００からのＡ／Ｖ信号の読出しは、ピックアップ（図示せず）により行われ、ピックアップにより読出されたＡ／Ｖ信号はＤＳＰ１０１でデスクランブリングされ、ＥＦＭ変調される。ＤＳＰ１０１で信号処理されたＡ／Ｖ信号は、Ａ／Ｖデコーダ１０２でデコーディングされてディスプレイ部１０３にディスプレイされる。
【００４６】
コンテンツの再生中に視聴制限区間でコンテンツの再生を一時的に中止する（５０６段階）。制御部１０４は、予備領域に貯蔵された視聴制限区間情報をアクセスして視聴制限区間でコンテンツの再生を一時的に中止する。
制御部１０４は、視聴制限区間の再生のためにユーザにパスワードの入力を要請する（５０７段階）
【００４７】
制御部１０４は、ユーザにより新しく入力されたパスワードと、予備領域に既に貯蔵されているパスワードとを比較して一致するかどうかを判断する（５０８段階）。
制御部１０４の判断結果、ユーザにより新しく入力されたパスワードと予備領域に既に貯蔵されているパスワードとが一致する場合（５０８段階で「はい」）、視聴制限区間を解除して該当コンテンツを連続的に再生する（５０９段階）。
【００４８】
制御部１０４の判断結果、ユーザにより新しく入力されたパスワードと予備領域に既に貯蔵されているパスワードとが一致しない場合（５０８段階で「いいえ」）、視聴制限区間以後から該当コンテンツを再生する（５１０段階）。ユーザがパスワードを間違えて入力することがあるため、決まった回数だけ反復的にパスワードを入力でき、反復的なパスワード入力後にも新しく入力されたパスワードが予備領域に貯蔵されたパスワードと一致しない場合、視聴制限区間以後から該当コンテンツを再生する。また、ユーザにより入力された間違ったパスワードは制御部１０４によりメモリ（図示せず）に順次に貯蔵された後で管理者に提供される。
【００４９】
図６は、本発明による視聴制限方法に対する第５実施例の動作を示すフローチャートであり、録画しようとするコンテンツを選択した後で録画を始める段階（６００）、録画中に視聴制限区間を確認する段階（６０１）、視聴制限メニューを呼び出す段階（６０２）、視聴制限区間及び視聴制限機能を設定する段階（６０３）、設定された情報を特定ストリーム内の予備領域に貯蔵した後、録画を完了する段階（６０４）、該当コンテンツを再生する段階（６０５）、視聴制限機能が設定された区間を除外したあらゆる内容を再生する段階（６０６）よりなる。
【００５０】
次いで、図１及び図６を参照して本発明を詳細に説明する。
ユーザは、録画しようとするコンテンツを選択して録画を始める（６００段階）。ディスプレイ部１０３にディスプレイされているコンテンツを録画しようとする場合、ユーザ入力信号（リモコンまたはプレーヤーに備わったキーにより生成）を利用してコンテンツの録画メニューを呼び出す。制御部１０４は、ユーザ入力信号により録画メニューをディスプレイ部１０３にディスプレイし、ユーザはディスプレイされた録画メニューを見てコンテンツの録画を選択する。
【００５１】
録画中または録画後にユーザにより暴力的な内容または猥褻な内容が録画された区間を確認する（６０１段階）。
暴力的な内容または猥褻な内容が録画された区間に対して視聴制限をおくために、視聴制限設定メニューを呼び出す（６０２段階）。ユーザ入力信号により制御部１０４は、視聴制限機能の設定メニューをディスプレイし、視聴制限区間の入力を要請する。
【００５２】
ユーザは、制御部１０４の要求により視聴制限区間の開始位置及び終了位置を設定して“視聴制限区間”を設定する（６０３段階）。“視聴制限区間”機能を設定したユーザは、後にコンテンツの再生を管理する管理者と同一である。
【００５３】
ユーザ、すなわち、管理者により“視聴制限区間”情報入力が完了すれば、制御部１０４は入力された“視聴制限区間”情報を特定ストリーム内の予備領域に貯蔵して、コンテンツの全体内容に対する録画を完了する（６０４段階）。“視聴制限区間”情報が貯蔵される特定ストリーム内の予備領域は、コンテンツの録画または再生時にディスク１００やタイトルに関する情報を有する各種情報テーブルの予備領域である。
【００５４】
例えば、光ディスク１００にはディスク情報テーブルがあり、光ディスク１００を再生するのに必要な情報が貯蔵されている。ディスク情報テーブルのうちＶＴＳＩ管理テーブル及びＶＭＧＩ管理テーブルがあるが、視聴制限のためのパスワードがＶＴＳＩ及びＶＭＧＩ管理テーブルの予備領域に記録される。ＶＴＳＩ管理テーブルはビデオタイトル設定情報が貯蔵されたテーブルであり、総２０４８バイトで構成され、このうち視聴制限区間情報が記録される予備領域は１６〜２７、３８〜１２７、１３２〜１９１、２３２〜２５５、２６８〜３３９、３４８〜５１１、５８０〜５９５、７９０〜７９１、９８４〜２０４７バイトにある。ＶＭＧＩ管理テーブルはビデオ管理情報が貯蔵されたテーブルであり、総２２９２バイトで構成され、このうち視聴制限区間情報が記録される予備領域は１６〜２７、４８〜６１、１０４〜１２７、１３６〜１９１、２２４〜２５５、２６８〜３３９、３４８〜１０２３バイトにある。
【００５５】
コンテンツの録画が完了した後、ユーザは区間別視聴制限機能が設定されたコンテンツを再生する（６０５段階）。光ディスク１００からのＡ／Ｖ信号の読出しは、ピックアップ（図示せず）により行われ、ピックアップにより読出されたＡ／Ｖ信号は、ＤＳＰ１０１でデスクランブリングされ、ＥＦＭ変調される。ＤＳＰ１０１で信号処理されたＡ／Ｖ信号は、Ａ／Ｖデコーダ１０２でデコーディングされてディスプレイ部１０３にディスプレイされる。
【００５６】
該当コンテンツの再生時に“視聴制限区間”が設定された部分を除外した全体内容を再生する（６０６段階）。全体コンテンツの再生時に“視聴制限区間”は管理者だけ再生できる。
【００５７】
図７は、本発明による視聴制限方法の第６実施例の動作を示すフローチャートであり、録画しようとするコンテンツ選択後に録画を始める段階（７００）、録画中に視聴制限区間を確認する段階（７０１）、視聴制限設定メニューを呼び出す段階（７０２）、視聴制限区間の設定及びパスワードを入力する段階（７０３）、視聴制限区間及びパスワードを別のテーブルに貯蔵する段階（７０４）、特定ストリーム内の予備領域にテーブル開始位置を貯蔵した後で録画を完了する段階（７０５）、視聴制限機能が設定されたコンテンツを再生する段階（７０６）、再生中に視聴制限区間で再生を中止する段階（７０７）、パスワードの入力を要請する段階（７０８）、新しく入力されたパスワードと既に貯蔵されているパスワードとが一致するかどうかを判断する段階（７０９）、視聴制限が解除されてから連続で再生する段階（７１０）、視聴制限区間以後から再生する段階（７１１）よりなる。
【００５８】
次いで、図１及び図７を参照して本発明を詳細に説明する。
ＤＶＤビデオ形式の場合には、ＶＭＧＩまたはＶＴＳＩの予備領域が多くて視聴制限情報を予備領域に貯蔵することができるが、ＤＶＤ−ＶＲ形式の場合には予備領域が十分でない。したがって、視聴制限情報を別のテーブルに貯蔵し、予備領域にはテーブル開始位置を記録する。
【００５９】
ユーザは、録画しようとするコンテンツを選択して録画を始める（７００段階）。ディスプレイ部１０３にディスプレイされているコンテンツを録画しようとする場合、ユーザ入力信号（リモコンまたはプレーヤーに備わったキーにより生成）を利用してコンテンツの録画メニューを呼び出す。制御部１０４は、ユーザ入力信号により録画メニューをディスプレイ部１０３にディスプレイし、ユーザはディスプレイされた録画メニューを見てコンテンツの録画を選択する。
【００６０】
録画中または録画後にユーザにより暴力的な内容または猥褻な内容が録画された区間を確認する（７０１段階）。
暴力的な内容または猥褻な内容が録画された区間に対して視聴を制限するために視聴制限設定メニューを呼び出す（７０２段階）。ユーザ入力信号により制御部１０４は、視聴制限機能の設定メニューをディスプレイし、視聴制限区間の入力及びパスワードの入力を要請する。
【００６１】
ユーザは、制御部１０４の要求に応じて視聴制限区間の開始位置及び終了位置を設定し、視聴制限区間を選択的に再生可能にするパスワードを入力する（７０３段階）。視聴制限区間の設定及びパスワードを入力するユーザは、後にコンテンツの再生を管理する管理者と同一である。
【００６２】
ユーザ、すなわち、管理者により視聴制限区間の設定及びパスワードの入力が完了すれば、制御部１０４は、設定された視聴制限区間及び入力されたパスワードを別のテーブルに貯蔵する（７０４段階）。
視聴制限区間及びパスワードが別のテーブルに貯蔵されれば、制御部１０４は、テーブル開始位置を特定ストリーム内の予備領域に貯蔵して、コンテンツの全体内容に対する録画を完了する（７０５段階）。パスワードが貯蔵される特定ストリーム内の予備領域は、コンテンツの録画または再生時にディスク１００やタイトルに関する情報を有する各種情報テーブルの予備領域である。
【００６３】
コンテンツの録画が完了した後、ユーザは区間別視聴制限機能が設定されたコンテンツを再生する（７０６段階）。光ディスク１００からのＡ／Ｖ信号の読出しはピックアップ（図示せず）により行われ、ピックアップにより読出されたＡ／Ｖ信号はＤＳＰ １０１でデスクランブリングされ、ＥＦＭ変調される。ＤＳＰ １０１で信号処理されたＡ／Ｖ信号は、Ａ／Ｖデコーダ１０２でデコーディングされてディスプレイ部１０３にディスプレイされる。
【００６４】
コンテンツの再生中に視聴制限区間でコンテンツの再生を一時的に中止する（７０７段階）。制御部１０４は、予備領域に貯蔵された視聴制限区間情報にアクセスして視聴制限区間でコンテンツの再生を一時的に中止する。
制御部１０４は、視聴制限区間の再生のためにユーザにパスワードの入力を要請する（７０８段階）
【００６５】
制御部１０４は、予備領域に記録されたテーブル開始位置にアクセスしてテーブルに記録されたパスワードと、ユーザにより新しく入力されたパスワードとを比較して一致するかどうかを判断する（７０９段階）。
テーブルに記録されたパスワードとユーザにより新しく入力されたパスワードとが一致する場合（７０９段階で「はい」）、視聴制限区間を解除して該当コンテンツを連続的に再生する（７１０段階）。
【００６６】
制御部１０４の判断結果、テーブルに記録されたパスワードとユーザにより新しく入力されたパスワードとが一致しない場合（７０９段階で「いいえ」）、視聴制限区間以後から該当コンテンツを再生する（７１１段階）。ユーザがパスワードを間違えて入力することがあるため、決まった回数だけ反復的にパスワードを入力でき、反復的なパスワード入力後にも新しく入力されたパスワードがテーブルに貯蔵されたパスワードと一致しない場合、視聴制限区間以後から該当コンテンツを再生する。また、ユーザにより入力された間違ったパスワードは、制御部１０４によりメモリ（図示せず）に順次に貯蔵された後で管理者に提供される。
【００６７】
図８は、本発明による視聴制限方法の第７実施例の動作を示すフローチャートであり、録画しようとするコンテンツを選択した後、録画を始める段階（８００）、録画中に視聴制限区間を確認する段階（８０１）、視聴制限メニューを呼び出す段階（８０２）、視聴制限区間及び視聴制限機能を設定して別のテーブルに貯蔵する段階（８０３）、特定ストリーム内の予備領域にテーブル開始位置を貯蔵した後、録画を完了する段階（８０４）、該当コンテンツを再生する段階（８０５）、視聴制限機能が設定された区間を除外したあらゆる内容を再生する段階（８０６）よりなる。
【００６８】
次いで、図１及び図８を参照して本発明を詳細に説明する。
ＤＶＤビデオ形式の場合にはＶＭＧＩまたはＶＴＳＩの予備領域が多くて視聴制限情報を予備領域に貯蔵できるが、ＤＶＤ−ＶＲ形式の場合には予備領域が十分でない。したがって、視聴制限情報を別のテーブルに貯蔵し、予備領域にはテーブル開始位置を記録する。
【００６９】
ユーザは、録画しようとするコンテンツを選択して録画を始める（８００段階）。ディスプレイ部１０３にディスプレイされているコンテンツを録画しようとする場合、ユーザ入力信号（リモコンまたはプレーヤーに備わったキーにより生成）を利用してコンテンツの録画メニューを呼び出す。制御部１０４は、ユーザ入力信号により録画メニューをディスプレイ部１０３にディスプレイし、ユーザはディスプレイされた録画メニューを見てコンテンツの録画を選択する。
【００７０】
録画中または録画後にユーザは暴力的な内容または猥褻な内容が録画された区間を確認する（８０１段階）。
暴力的な内容または猥褻な内容が録画された区間に対して視聴を制限するために視聴制限設定メニューを呼び出す（８０２段階）。ユーザ入力信号により制御部１０４は、視聴制限機能の設定メニューをディスプレイし、視聴制限区間の入力を要請する。
【００７１】
ユーザは、制御部１０４の要求に応じて視聴制限区間の開始位置及び終了位置を設定して“視聴制限区間”を設定し、これを別のテーブルに貯蔵する（８０３段階）。“視聴制限区間”機能を設定したユーザは、後にコンテンツの再生を管理する管理者と同一である。
【００７２】
ユーザ、すなわち、管理者により“視聴制限区間”情報入力が完了すれば、制御部１０４はテーブル開始位置を特定ストリーム内の予備領域に貯蔵して、コンテンツの全体内容に対する録画を完了する（８０４段階）。テーブル開始位置情報が貯蔵される特定ストリーム内の予備領域は、コンテンツの録画または再生時にディスク１００やタイトルに関する情報を有する各種情報テーブルの予備領域である。
【００７３】
コンテンツの録画が完了した後、ユーザは区間別視聴制限機能が設定されたコンテンツを再生する（８０５段階）。光ディスク１００からのＡ／Ｖ信号の読出しはピックアップ（図示せず）により行われ、ピックアップにより読出されたＡ／Ｖ信号はＤＳＰ １０１でデスクランブリングされ、ＥＦＭ変調される。ＤＳＰ１０１で信号処理されたＡ／Ｖ信号は、Ａ／Ｖデコーダ１０２でデコーディングされてディスプレイ部１０３にディスプレイされる。
【００７４】
該当コンテンツの再生時に“視聴制限区間”が設定された部分を除外した全体内容を再生する（８０６段階）。全体コンテンツの再生時に“視聴制限区間”は管理者だけ再生できる。
【００７５】
本発明は前述した実施例に限定されず、本発明の思想内で当業者による変形が可能である。
【００７６】
前述したように、本発明によれば、コンテンツの記録時にコンテンツの特定領域に視聴制限情報またはパスワードを設定するか、コンテンツの記録時に視聴制限区間を設定することによって、暴力物または淫乱物の未成年者の視聴を制限できる効果がある。
【図面の簡単な説明】
【００７７】
【図１】視聴制限装置の構成を示すブロック図である。
【図２】本発明による視聴制限方法に対する第１実施例の動作を示すフローチャートである。
【図３】本発明による視聴制限方法に対する第２実施例の動作を示すフローチャートである。
【図４】本発明による視聴制限方法に対する第３実施例の動作を示すフローチャートである。
【図５】本発明による視聴制限方法に対する第４実施例の動作を示すフローチャートである。
【図６】本発明による視聴制限方法に対する第５実施例の動作を示すフローチャートである。
【図７】本発明による視聴制限方法に対する第６実施例の動作を示すフローチャートである。
【図８】本発明による視聴制限方法に対する第７実施例の動作を示すフローチャートである。
【符号の説明】
【００７８】
１００    光ディスク
１０１    ＤＳＰ
１０２    Ａ／Ｖデコーダ
１０３    ディスプレイ部
１０４    制御部
【図１】
2006066072.tif 000003
【図２】
2006066072.tif 000004
【図３】
2006066072.tif 000005
【図４】
2006066072.tif 000006
【図５】
2006066072.tif 000007
【図６】
2006066072.tif 000008
【図７】
2006066072.tif 000009
【図８】
2006066072.tif 000010